(57)【要約】【課題】  掃除の効率を増大させると共に騒音を減少させるための、構造の改善されたブラシ組立体およびこれを備えた真空掃除機を提供する。【解決手段】  本発明に係るブラシ組立体およびこれを備えた真空掃除機は、空気吸込み口およびタービン収納室が形成されているブラシ本体と、前記タービン収納室に設けられるタービンと、前記ブラシ本体と連結される連結管とを備え、前記タービンは、前記空気吸込み口から吸い込まれた空気が前記タービン収納室を通過する時に形成される空気流路の一部に設けられる。【選択図】      図１
2005288148.tif 000002
【特許請求の範囲】
【請求項１】
空気吸込み口およびタービン収納室が形成されているブラシ本体と、
前記タービン収納室に設けられるタービンと、
前記ブラシ本体と連結される連結管とを備え、前記タービンは、前記空気吸込み口から吸い込まれた空気が前記タービン収納室を通過する時に形成される空気流路の一部に設けられることを特徴とするブラシ組立体。
【請求項２】
前記タービンは、前記連結管に形成された連結管入口の一部を覆うように前記連結管入口のいずれか一方向に偏向するよう前記タービン収納室に設けられていることを特徴とする請求項１に記載のブラシ組立体。
【請求項３】
前記タービンは、前記連結管に形成された連結管入口の一部を覆うように前記連結管入口の中心に位置するよう前記タービン収納室に設けられていることを特徴とする請求項１に記載のブラシ組立体。
【請求項４】
前記タービンには、前記タービンの中心から外側に向かうにつれてその厚さが変わる複数のブレードが形成されていることを特徴とする請求項１に記載のブラシ組立体。
【請求項５】
前記ブレードは、その厚さがタービンの中心から外側に向かうにつれて次第に小さくなることを特徴とする請求項４に記載のブラシ組立体。
【請求項６】
前記連結管は、前記連結管に形成された連結管入口の直径が次第に小さくなり、一定になるよう形成されることを特徴とする請求項１に記載のブラシ組立体。
【請求項７】
前記連結管入口は、ラッパ管状になっていることを特徴とする請求項６に記載のブラシ組立体。
【請求項８】
集塵室が設けられている掃除機本体と、
空気吸込み口およびタービン収納室が形成されているブラシ本体と、
前記タービン収納室に設けられるタービンと、
前記ブラシ本体と連結される連結管とを備え、前記タービンは、前記空気吸込み口から吸い込まれた空気が前記タービン収納室を通過する時に形成される空気流路の一部に設けられることを特徴とする真空掃除機。
【請求項９】
前記タービンは、前記連結管に形成された連結管入口の一部を覆うように前記連結管入口のいずれか一方向に偏向するよう前記タービン収納室に設けられていることを特徴とする請求項８に記載の真空掃除機。
【請求項１０】
前記タービンは、前記連結管に形成された連結管入口の一部を覆うように前記連結管入口の中心に位置するよう前記タービン収納室に設けられていることを特徴とする請求項８に記載の真空掃除機。
【発明の詳細な説明】
【技術分野】
【０００１】
本発明は、真空掃除機に関し、より詳しくは、掃除の効率が向上するように構造が改善されたブラシ組立体およびこれを備えた真空掃除機に関する。
【背景技術】
【０００２】
一般に、吸い込まれる空気の運動エネルギーを用いてブラシを駆動させる真空掃除機のブラシ組立体は、ブラシ本体と被掃除面とが接触して回転しながら被掃除面上の汚れを拭き取るブラシ、吸い込まれた塵埃などを真空掃除機本体の集塵室へ誘導する連結管、前記ブラシを駆動するためのタービンなどで構成される。
【０００３】
米国特許第５，７０１，６３３号では、かかる真空掃除機のブラシ組立体を開示している。前記特許に開示のブラシ組立体は、タービンがタービン収納室内の空気流路の全体にわたって取り付けられている。かかるブラシ組立体では、初期タービンの回転力を増加させることができるが、大きな塵埃などがタービンにより狭くなった空気流路を通過できなくなり、タービンブレードにかかったり付着したりしてしまい、タービンの回転力、吸込み力が低下するという問題点がある。
【０００４】
また、タービン収納室に入った集塵空気が前記連結管の急に狭くなった入口を通過することで集塵空気の速度が高速になり、これにより、騒音が発生する恐れがある。
【０００５】
また、一般に、前記タービンのブレードの厚さが一定しているため、真空掃除機の吸込み力が十分にタービンへ伝達できないことと、塵埃や汚れなどが前記ブレード面を通過する時、円滑な移動ができず前記ブレード面に付着してしまう恐れある。
【特許文献１】米国特許第５，７０１，６３３号
【発明の開示】
【発明が解決しようとする課題】
【０００６】
本発明は、前述のような問題点を解決するためになされたものであって、本発明の目的は、掃除の効率を増大させると共に騒音を減少させるための、構造の改善されたブラシ組立体およびこれを備えた真空掃除機を提供することにある。
【課題を解決するための手段】
【０００７】
上記の目的を達成するための本発明のブラシ組立体は、空気吸込み口およびタービン収納室が形成されているブラシ本体と、前記タービン収納室に設けられるタービンと、前記ブラシ本体と連結される連結管とを備え、前記タービンは、前記空気吸込み口から吸い込まれた空気が前記タービン収納室を通過する時に形成される空気流路の一部に設けられることを特徴とする。
【０００８】
前記タービンは、前記連結管に形成された連結管入口の一部を覆うように前記連結管入口のいずれか一方向に偏向するよう前記タービン収納室に設けられていることが好ましい。
【０００９】
前記タービンは、前記連結管に形成された連結管入口の一部を覆うように前記連結管入口の中心に位置するよう前記タービン収納室に設けられていることを特徴とする請求項１に記載のブラシ組立体。
【００１０】
前記タービンには、前記タービンの中心から外側に向かうにつれてその厚さが変わる複数のブレードが形成されていることが好ましい。
【００１１】
前記ブレードは、その厚さがタービンの中心から外側に向かうにつれて次第に小さくなることが好ましい。
【００１２】
前記連結管は、前記連結管に形成された連結管入口の直径が次第に小さくなり、一定になるよう形成されることができる。
【００１３】
前記連結管入口は、ラッパ管状になっていることが好ましい。
【００１４】
さらに、本発明の目的は、集塵室が設けられている掃除機本体と、空気吸込み口およびタービン収納室が形成されているブラシ本体と、前記タービン収納室に設けられるタービンと、前記ブラシ本体と連結される連結管とを備え、前記タービンは、前記空気吸込み口から吸い込まれた空気が前記タービン収納室を通過する時に形成される空気流路の一部に設けられることを特徴とする真空掃除機により達成される。
【００１５】
前記タービンは、前記連結管に形成された連結管入口の一部を覆うように前記連結管入口のいずれか一方向に偏向するよう前記タービン収納室に設けられていることが好ましい。
【発明の効果】
【００１６】
本発明のブラシ組立体およびこれを備えた真空掃除機によれば、掃除機タービンへの塵埃などの付着が減少し、前記タービンに連結されているブラシの作動が円滑であり、連結管入口の構造を改善することで、騒音が減少し、掃除時の騒音発生による使用者の不快感を減らすことができる。
【発明を実施するための最良の形態】
【００１７】
以下、本発明の好適な実施例を添付の図面に基づいて詳述する。
【実施例】
【００１８】
図１は、本発明の真空掃除機の一実施例が示された分解斜視図である。同図に示されたように、ブラシ組立体２００は、空気吸込み口２１２およびタービン収納室２１１が形成されているブラシ本体２１０と、タービン収納室２１１に設けられるタービン２２０と、掃除しようとする被掃除面と接触して回転しながら被掃除面上の汚れを拭き取るブラシ２４０と、タービン２２０の回転力をブラシ２４０に伝達する連結部材２３０と、吸い込まれた塵埃などを真空掃除機本体１００の集塵室（図示省略）へ誘導する連結管２５０と、から構成される。
【００１９】
タービン収納室２１１は、掃除機の吸込み気流によりタービン２２０が自由に回転するように支持・収納する働きをする。
【００２０】
タービン２２０には、掃除機の吸込み気流がタービン２２０を回転させることができるようにブレード２２１が形成されている。ブレード２２１の具体的な形状については、後述する。
【００２１】
連結管２５０は、掃除機の吸込み気流により吸い込まれた空気を掃除機本体１００の内部に装着されている集塵室（図示省略）へ誘導する働きをする。連結管２５０に形成されている連結管入口２５１の具体的な形状については、後述する。
【００２２】
連結部材２３０は、掃除機の吸込み気流によりタービン２２０が回転すると、タービン２２０の回転力をブラシ２４０に伝達する働きをする。このとき、連結部材２３０は、ベルトで構成される。勿論、ギアのような連結部材で相違に構成することもできる。
【００２３】
ブラシ２４０は、ブラシ支持部材２４１により回転自在に設けられ、ブラシ支持部材２４１は、本体２１０に取り付けられる。
【００２４】
前述のような構成で吸込み空気が空気吸込み口２１２を介して流入され、タービン収納室２１１の隔壁２１３に回転自在に設けられたタービン２２０を回転させると、タービン２２０の回転力は、タービン軸２２２に連結された連結部材２３０によりブラシ支持部材２４１により回転自在に設けられたブラシ２４０に伝達される。
【００２５】
ここで、ブラシ２４０は、被掃除面に接した状態で被掃除面に沿って移動しながら被掃除面上の様々な汚れを引っ掻いたり打ったりすることで被掃除面から分離し、分離された汚れは、空気吸込み口２１２を介して連結管２５０を経て掃除機本体１００内に設けられている集塵室（図示省略）に集まるようになる。
【００２６】
図２Ａおよび図２Ｂは、図１に示されたブラシ組立体に設けられたタービンと連結管入口との位置関係を示す斜視図である。同図に示されたように、タービン２２０は、本体２１０と連結される連結管入口２５１の一部を覆うようにタービン収納室２１１に設けられている。
【００２７】
この時、タービン２２０は、連結管入口２５１の一部を覆うように連結管入口２５１に対していずれか一方向に偏向しているのが良い。
【００２８】
即ち、連結管入口２５１の直径をＡとすれば、Ｂだけ連結管入口２５１のいずれか一方向にタービン収納室２１１に取り付けられる。或いは、連結管入口２５１の一部を覆うように連結管入口２５１の直径をＡとすれば、Ｃだけ連結管入口２５１の両側から一定距離だけ離間して連結管入口２５１の中心位置にタービン２２０が来るようにタービン収納室２１１に取り付けることができる。
【００２９】
なお、タービン２２０の幅（Ｄ）と連結管入口２５１の径（Ａ）との比は、ほぼ１：２であることが、連結管入口２５１を通過するための集塵空気の流路確保と、真空掃除機の吸込み力を効率良く受けるためのブレード２２１の面積から見て、適当である。
【００３０】
前述のような構成で集塵空気の吸込み流路が広くなり、これによって、集塵空気の流れが円滑になり、特に、楊枝や割り箸などがタービンにかかることによるタービンの回転停止を減らすことができる。
【００３１】
図３は、図１に示されたブラシ組立体に設けられたタービンを示したタービンの断面図である。同図に示されたように、タービン２２０には、複数のブレード２２１が形成されている。ブレード２２１は、タービン２２０の中心部から外側に向かうにつれてその厚さが一定に変わるようになっている。
【００３２】
即ち、タービン２２０の中心部と近いところは、厚さ（Ｅ）を有するが、厚さ（Ｆ）のようにタービン２２０の外側にブレード２２１が延びて行くにつれてその厚さが薄くなる形状を有し、放射状にタービン２２０の中心部から外側に延びて行く。
【００３３】
また、前記ブレードの端部（Ｇ）には、集塵空気の抵抗を極力減らすため、端部（Ｆ）を丸くラウンド処理（Ｇ’）が施されている。
【００３４】
前述のような構成で集塵空気は、ブレード２２１の螺旋曲面（Ｉ）に沿って滑らかに矢印（Ｈ）方向に流れ、ラウンド（Ｇ’）でブレード２２１から逃れることで、集塵空気の衝撃力が効果的にブレード２２１上に終端まで伝達され、タービン２２０の回転力を一層増大する。
【００３５】
従って、タービン２２０が連結管入口（図示省略）の全体でなく一部を覆うことで減少される回転力を補償されることができる。
【００３６】
また、タービン２２０の駆動力を受けて回転するブラシ（図示省略）の回転力も増大され、より強く被掃除面上のさまざまな汚れを引っ掻いたり打ったりすることができ、汚れの被掃除面からの分離が容易である。
【００３７】
従って、使用者がより容易に被掃除面を掃除することができ、掃除の効率性が向上し、塵埃のような異物がブレード２２１の螺旋曲面（Ｉ）に沿って滑らかに矢印（Ｈ）方向に流れることで、塵埃のブレード２２１への付着を防止することが可能となる。
【００３８】
図４Ａは、図１に示されたブラシ組立体に設けられた連結管の斜視図であり、図４Ｂは、図４ＡのIV−IV線に沿った連結管の一部断面図である。
【００３９】
同図に示されたように、連結管入口２５１とは、大径（Ｊ）がだんだん小さくなって小径（Ｋ）となる連結管２５０の矢印（Ｙ）までの部分をいう。
【００４０】
かかる形状に作ってみると、連結管入口２５１は、ラッパ管の形状が好ましいことがわかる。
【００４１】
また、連結管入口２５１が大径（Ｊ）から小径（Ｋ）に変わる場合、前記大径（Ｊ）から小径（Ｋ）の間は、滑らかな曲面を有する傾斜面（Ｌ）とすることが好ましい。
【００４２】
前述のような構成で、タービン（図示省略）を通過した集塵空気は、大径（Ｊ）から小径（Ｋ）を通過する時、傾斜面（Ｌ）に沿って滑らかに流れることで、集塵空気が大径（Ｊ）から小径（Ｋ）を通過する時の速度増加による騒音の発生を減らすことが可能となる。
【００４３】
図５は、図１のＶ−Ｖ線に沿ったブラシ組立体の断面図である。同図に示されたように、ブラシ２４０により被掃除面から分離された塵埃などは、矢印（Ｈ）方向に、本体２１０と連結される連結管２５０に形成された連結管吸込み口２５１の一部を覆うようにタービン収納室２１１に設けられており、複数のタービン２２０の中心部から外側に向かうにつれてその厚さが一定に変わりながら放射状に延びるブレード２２１が形成されているタービン２２０を通過した後、連結管入口２５１が大径（Ｊ）から小径（Ｋ）に変わり、大径（Ｊ）から小径（Ｋ）の間が滑らかな曲面である傾斜面（Ｌ）となったラッパ管状の連結管吸込み口２５１を有する連結管２５０を通過し、掃除機本体の集塵室（図示省略）へ集塵される。
【産業上の利用可能性】
【００４４】
本発明の、構造が改善されたブラシ組立体およびこれを備えた真空掃除機は、キャニスタ型、ドラム型、アップライト型、スティック型、ハンディ型およびロボット型の掃除機のいずれにも適用可能である。
【図面の簡単な説明】
【００４５】
【図１】本発明の真空掃除機の一実施例を示す分解斜視図である。
【図２Ａ】図１に示されたブラシ組立体に設けられたタービンと連結管入口との位置関係を示す斜視図である。
【図２Ｂ】図１に示されたブラシ組立体に設けられたタービンと連結管入口との位置関係を示す斜視図である。
【図３】図１に示されたブラシ組立体に設けられたタービンを示す断面図である。
【図４Ａ】図１に示されたブラシ組立体に設けられた連結管の斜視図であり、
【図４Ｂ】図４ＡのIV−IV線に沿った連結管の一部断面図である。
【図５】図１のV−V線に沿ったブラシ組立体の断面図である。
【符号の説明】
【００４６】
２００  ブラシ組立体
２２０  タービン
２２１  ブレード
２５０  連結管
【図１】
2005288148.tif 000003
【図２Ａ】
2005288148.tif 000004
【図２Ｂ】
2005288148.tif 000005
【図３】
2005288148.tif 000006
【図４Ａ】
2005288148.tif 000007
【図４Ｂ】
2005288148.tif 000008
【図５】
2005288148.tif 000009